(57)【要約】【課題】自カードと種別が一致しない伝送カードへの信号の送信を抑制すること。【解決手段】パターン生成部１３０は、伝送カード１００の種別ごとに異なる各パルスパターンのうちの自カードの種別に対応するパルスパターンのパターン信号を他カードへ送信する。パターン検出部１５１〜１５３は、他カードから送信されたパターン信号であって各パルスパターンのうちの他カードの種別に対応するパルスパターンのパターン信号を受信する。比較判断部１６１〜１６３は、パターン検出部１５１〜１５３によって受信されたパターン信号のパルスパターンが、自カードの種別に対応するパルスパターンと一致しない場合に、通信部１１１〜１１３による他カードへの制御信号の信号送信を停止等させる制御を行う。【選択図】図１
2017204192.tif 000002
【特許請求の範囲】
【請求項１】
バックワイヤリングボードと、前記バックワイヤリングボードに接続された複数の伝送カードと、を含む伝送装置であって、
前記複数の伝送カードのそれぞれは、
前記複数の伝送カードのうちの自カードを除く他カードへの信号送信を、前記バックワイヤリングボードを介して行う第１送信部と、
伝送カードの種別ごとに異なる各パルスパターンのうち、自カードの種別に対応するパルスパターンのパターン信号を前記他カードへ送信する第２送信部と、
前記他カードから送信されたパターン信号を受信する受信部と、
前記受信部によって受信された前記パターン信号のパルスパターンが、前記自カードの種別に対応するパルスパターンと一致しない場合に、前記第１送信部による前記信号送信を停止させまたは前記信号送信の速度を低下させる制御を行う制御部と、
を備えることを特徴とする伝送装置。
【請求項２】
前記パルスパターンは、所定周期ごとの複数のタイミングにおけるパルスの有無による符号パターンであることを特徴とする請求項１に記載の伝送装置。
【請求項３】
前記各パルスパターンのうちの前記自カードの種別と異なる所定の種別に対応するパルスパターンを記憶する記憶部を備え、
前記制御部は、前記受信部によって受信された前記パターン信号のパルスパターンが、前記記憶部によって記憶された前記パルスパターンと一致する場合は、前記受信部によって受信された前記パターン信号のパルスパターンが前記自カードの種別に対応するパルスパターンと一致しない場合であっても前記制御を行わないことを特徴とする請求項１または２に記載の伝送装置。
【請求項４】
バックワイヤリングボードと、前記バックワイヤリングボードに接続された複数の伝送カードと、を含む伝送装置における伝送方法であって、
前記複数の伝送カードのそれぞれが、
前記複数の伝送カードのうちの自カードを除く他カードへの信号送信を、前記バックワイヤリングボードを介して行い、
伝送カードの種別ごとに異なる各パルスパターンのうち、自カードの種別に対応するパルスパターンのパターン信号を前記他カードへ送信し、
前記他カードから送信されたパターン信号を受信し、
受信した前記パターン信号のパルスパターンが、前記自カードの種別に対応するパルスパターンと一致しない場合に、前記信号送信を停止させまたは前記信号送信の速度を低下させる制御を行うことを特徴とする伝送方法。
【発明の詳細な説明】
【技術分野】
【０００１】
本発明は、伝送装置および伝送方法に関する。
【背景技術】
【０００２】
近年、ＢＷＢ（Ｂａｃｋ  Ｗｉｒｉｎｇ  Ｂｏａｒｄ：バックワイヤリングボード）を介した高速信号による制御データの通信が使用されている。また、異なる複数のユニットカードを差し替えて実装することにより各種の機能を実現する伝送装置が知られている（たとえば、下記特許文献１，２参照。）。
【先行技術文献】
【特許文献】
【０００３】
【特許文献１】特開２００４−１１０４７８号公報
【特許文献２】特開平０４−０４２７３０号公報
【発明の概要】
【発明が解決しようとする課題】
【０００４】
しかしながら、上述した従来技術では、たとえば自カードと種別が一致しない伝送カードへの信号の送信を抑制することができないという問題がある。たとえば自カードと種別が一致しない伝送カードへ信号を送信すると、クロストークノイズ等のノイズが発生し、種別が同じカード間での信号送信の特性が劣化する場合がある。
【０００５】
１つの側面では、本発明は、自カードと種別が一致しない伝送カードへの信号の送信を抑制することができる伝送装置および伝送方法を提供することを目的とする。
【課題を解決するための手段】
【０００６】
上述した課題を解決し、目的を達成するため、本発明の一側面によれば、バックワイヤリングボードと、前記バックワイヤリングボードに接続された複数の伝送カードと、を含む伝送装置において、前記複数の伝送カードのそれぞれが、前記複数の伝送カードのうちの自カードを除く他カードへの信号送信を、前記バックワイヤリングボードを介して行い、伝送カードの種別ごとに異なる各パルスパターンのうち、自カードの種別に対応するパルスパターンのパターン信号を前記他カードへ送信し、前記他カードから送信されたパターン信号を受信し、受信した前記パターン信号のパルスパターンが、前記自カードの種別に対応するパルスパターンと一致しない場合に、前記信号送信を停止させまたは前記信号送信の速度を低下させる制御を行う伝送装置および伝送方法が提案される。
【発明の効果】
【０００７】
本発明の一側面によれば、自カードと種別が一致しない伝送カードへの信号の送信を抑制することができるという効果を奏する。
【図面の簡単な説明】
【０００８】
【図１】図１は、実施の形態１にかかる伝送装置の一例を示す図である。
【図２】図２は、実施の形態１にかかる伝送装置の構成例を示す図である。
【図３】図３は、実施の形態１にかかる各伝送カードが送信するパターン信号の一例を示す図である。
【図４】図４は、実施の形態１にかかる伝送カードによるパターン検出の一例を示す図である。
【図５】図５は、実施の形態１にかかる伝送カードのパターン生成部によるパターン生成処理の一例を示すフローチャートである。
【図６】図６は、実施の形態１にかかる伝送カードのパターン検出部によるパターン検出処理の一例を示すフローチャートである。
【図７】図７は、実施の形態１にかかる伝送カードの比較判断部による比較判断処理の一例を示すフローチャートである。
【図８】図８は、実施の形態１にかかる伝送カードのパターン検出部による対向カード状態判定処理の一例を示すフローチャートである。
【図９】図９は、実施の形態２にかかる伝送システムの一例を示す図である。
【図１０】図１０は、実施の形態２にかかる伝送カードの比較判断部による比較判断処理の一例を示すフローチャートである。
【図１１】図１１は、実施の形態３にかかる各伝送カードが送信するパターン信号の一例を示す図である。
【発明を実施するための形態】
【０００９】
以下に図面を参照して、本発明にかかる伝送装置および伝送方法の実施の形態を詳細に説明する。
【００１０】
（実施の形態１）
（実施の形態１にかかる伝送装置）
図１は、実施の形態１にかかる伝送装置の一例を示す図である。図１に示すように、実施の形態１にかかる伝送装置１０は、伝送カード１００と、ＢＷＢ２０と、を含む。ＢＷＢ２０は、複数の伝送カード１００を接続可能な複数のスロット（スロット２１〜２４）を有するＢＷＢである。なお、図１に示す例ではＢＷＢ２０におけるスロット数が４個であり最大で４個の伝送カード１００をＢＷＢ２０に接続可能であるが、ＢＷＢ２０におけるスロット数は４個に限らず２個以上の任意の数とすることができる。
【００１１】
ＢＷＢ２０のスロット２１〜２４に接続可能な伝送カード１００には複数の種別がある。種別は、たとえば、スロット２１〜２４のいずれかに接続された伝送カード１００が、スロット２１〜２４の他のスロットに接続された他の伝送カード１００との間でＢＷＢ２０を介して行う通信の種別（または送受信モード）である。スロット２１〜２４に接続された複数の伝送カード１００のうち、種別が互いに同一の複数の伝送カード１００の間では互いに通信が可能である。また、スロット２１〜２４に接続された複数の伝送カード１００のうち、種別が互いに異なる複数の伝送カード１００の間では互いに通信が可能でない場合がある。
【００１２】
一例としては、種別は、ＬＡＮ（Ｌｏｃａｌ  Ａｒｅａ  Ｎｅｔｗｏｒｋ：構内通信網）の規格における１０［Ｇｂｐｓ］のＬＡＮ（第１種別）、１００［Ｇｂｐｓ］のＬＡＮ（第２種別）、１０００［Ｇｂｐｓ］のＬＡＮ（第３種別）などの種別である。この場合に、たとえば、ともに種別が１０［Ｇｂｐｓ］のＬＡＮ（第１種別）である複数の伝送カード１００の間ではＢＷＢ２０を介して通信が可能である。
【００１３】
一方で、たとえば、種別が１０［Ｇｂｐｓ］のＬＡＮ（第１種別）である伝送カード１００と、種別が１００［Ｇｂｐｓ］のＬＡＮ（第２種別）である伝送カード１００と、の間ではＢＷＢ２０を介して通信が可能でない場合がある。このように種別が異なり互い通信可能でない複数の伝送カード１００の間でＢＷＢ２０を介して高速な信号が送信されると、送信された信号が正常に受信されずにクロストークノイズ等のノイズの原因となる。
【００１４】
図１においては、一例としてＢＷＢ２０のスロット２１に接続される伝送カード１００について説明する。伝送カード１００は、コネクタ１０１と、通信部１１１〜１１３と、パターン情報記憶部１２０と、パターン生成部１３０と、プルアップ抵抗１４１〜１４３と、パターン検出部１５１〜１５３と、比較判断部１６１〜１６３と、を備える。コネクタ１０１は、ＢＷＢ２０のスロット２１〜２４のいずれかに自カード（伝送カード１００）を接続するためのコネクタである。図１に示す例では、伝送カード１００がコネクタ１０１を介してＢＷＢ２０のスロット２１に接続される。
【００１５】
通信部１１１は、たとえばスロット２２に接続された他の伝送カード１００との間で高速通信を行う。たとえば、通信部１１１は、スロット２２に接続された他の伝送カード１００へ高速の信号送信を行う。また、通信部１１１は、スロット２２に接続された他の伝送カード１００から自カードへ送信された信号を受信する。
【００１６】
同様に、通信部１１２，１１３は、それぞれスロット２３，２４に接続された他の伝送カード１００との間で信号の送受信を行う。一例としては、通信部１１１〜１１３のそれぞれは、送信する信号をパラレル信号から高速のシリアル信号に変換し、受信する信号をシリアル信号からパラレル信号に変換するＳＥＲＤＥＳ（ＳＥＲｉａｌｉｚｅｒ／ＤＥＳｅｒｉａｌｉｚｅｒ）である。
【００１７】
通信部１１１〜１１３が他の伝送カード１００との間で送受信する信号は、一例としては、伝送カード１００が送受信する主信号とは異なる制御信号であって、他の伝送カード１００との間でやり取りする制御情報を含む制御信号である。以下、通信部１１１〜１１３が送信する信号が制御信号である場合について説明する。
【００１８】
パターン情報記憶部１２０は、自カード（伝送カード１００）の種別に対応するパルスパターンを示すパターン情報を記憶する。パルスパターンは、自カードが他の伝送カード１００へ送信するパターン信号におけるパルスのパターンであって、自カードの種別によって異なるパルスのパターンである。パルスパターンは、一例としては、所定周期ごとのパルスの数とすることができる。この場合は、パターン情報記憶部１２０に記憶されたパターン情報は、自カードの種別に応じたパルスの数を示す。
【００１９】
パターン生成部１３０は、パターン情報記憶部１２０に記憶されたパターン情報が示すパルスパターンのパターン信号を生成する。また、パターン生成部１３０は、生成したパターン信号を、ＢＷＢ２０を介して、スロット２１〜２４のうちの自カードが接続されたスロット２１を除くスロット２２〜２４に接続された他の伝送カード１００へ向けて送信する。たとえば、パターン生成部１３０は、パターン情報が示すパルスパターンを所定周期ごとに繰り返すパターン信号を継続して送信する。
【００２０】
パターン検出部１５１には、たとえばスロット２２に接続された他の伝送カード１００から送信されたパターン信号が入力される。同様に、パターン検出部１５２，１５３には、それぞれスロット２３，２４に接続された他の伝送カード１００から送信されたパターン信号が入力される。プルアップ抵抗１４１〜１４３は、それぞれスロット２２〜２４に接続された他の伝送カード１００から送信されたパターン信号の入力端子を電源側に接続（プルアップ）するための抵抗である。
【００２１】
パターン検出部１５１は、スロット２２に接続された他の伝送カード１００から送信されたパターン信号のパルスパターン（たとえば所定周期ごとのパルスの数）を検出する。同様に、パターン検出部１５２，１５３は、それぞれスロット２３，２４に接続された他の伝送カード１００から送信されたパターン信号のパルスパターンを検出する。パターン検出部１５１〜１５３は、検出したパルスパターンをそれぞれ比較判断部１６１〜１６３へ通知する。
【００２２】
比較判断部１６１は、パターン検出部１５１から通知されたパルスパターンが、パターン情報記憶部１２０に記憶されたパルス情報が示すパルスパターンと一致するか否かを判定する比較処理を行う。これにより、スロット２２に接続された他の伝送カード１００が、自カードと同じ種別の伝送カード１００であるか否かを判断することができる。
【００２３】
同様に、比較判断部１６２，１６３は、それぞれパターン検出部１５２，１５３から通知されたパルスパターンが、パターン情報記憶部１２０に記憶されたパルス情報が示すパルスパターンと一致するか否かを判定する比較を行う。これにより、それぞれスロット２３，２４に接続された他の伝送カード１００が、自カードと同じ種別の伝送カード１００であるか否かを判断することができる。
【００２４】
比較判断部１６１が比較した各パルスパターンが一致しない場合は、スロット２２に接続された他の伝送カード１００が、自カードと同じ種別の伝送カード１００でないと判断することができる。この場合は、比較判断部１６１は、通信部１１１に対して、スロット２２に接続された他の伝送カード１００への高速信号（制御信号）の送信を停止させる制御を行う。たとえば、比較判断部１６１は、通信部１１１のリセット端子やパワーダウン端子に接続されており、これらの端子に指示信号を入力することにより通信部１１１による高速信号の送信を停止させる制御を行う。
【００２５】
同様に、比較判断部１６２，１６３は、比較した各パルスパターンが一致しない場合は、それぞれ通信部１１２，１１３に対して、他の伝送カード１００への高速信号の送信を停止させる制御を行う。これにより、自カードと種別が異なり自カードと通信可能でない他の伝送カード１００への高速信号の送信を停止し、クロストークノイズ等のノイズを抑制することができる。このため、伝送装置１０における種別が同じ複数の伝送カード１００の間における制御信号の伝送特性の劣化を抑制することができる。
【００２６】
通信部１１１〜１１３、パターン情報記憶部１２０、パターン生成部１３０、パターン検出部１５１〜１５３および比較判断部１６１〜１６３は、たとえばデジタル回路１８０により実現することができる。デジタル回路１８０には、一例としてはＦＰＧＡ（Ｆｉｅｌｄ  Ｐｒｏｇｒａｍｍａｂｌｅ  Ｇａｔｅ  Ａｒｒａｙ）など、各種のデジタル回路を用いることができる。
【００２７】
他カードへの信号送信をＢＷＢ２０を介して行う第１送信部は、たとえば通信部１１１により実現することができる。自カードの種別に対応するパルスパターンのパターン信号を他カードへ送信する第２送信部は、たとえばパターン生成部１３０により実現することができる。他カードから送信されたパターン信号を受信する受信部は、たとえばプルアップ抵抗１４１〜１４３およびパターン検出部１５１〜１５３により実現することができる。受信されたパターン信号のパルスパターンが、自カードの種別に対応するパルスパターンと一致しない場合に、第１送信部による信号送信を停止させる制御を行う制御部は、たとえば比較判断部１６１により実現することができる。
【００２８】
（実施の形態１にかかる伝送装置の構成例）
図２は、実施の形態１にかかる伝送装置の構成例を示す図である。図２において、図１に示した部分と同様の部分については同一の符号を付して説明を省略する。また、ＢＷＢ２０のスロット２１に接続された伝送カード１００を伝送カード１００（＃１）とし、伝送カード１００（＃１）の各構成の符号に（＃１）を付す。また、ＢＷＢ２０のスロット２２に接続された伝送カード１００を伝送カード１００（＃２）とし、伝送カード１００（＃２）の各構成の符号に（＃２）を付す。
【００２９】
また、ＢＷＢ２０のスロット２３に接続された伝送カード１００を伝送カード１００（＃３）とし、伝送カード１００（＃３）の各構成の符号に（＃３）を付す。また、ＢＷＢ２０のスロット２４に接続された伝送カード１００を伝送カード１００（＃４）とし、伝送カード１００（＃４）の各構成の符号に（＃４）を付す。
【００３０】
図２に示すように、たとえば、伝送装置１０は、伝送カード１００（＃１〜＃４）と、ＢＷＢ２０と、スイッチ盤２１０，２２０と、を備える。たとえば、伝送カード１００（＃１〜＃４）のそれぞれは、スイッチ盤２１０，２２０のスイッチ２１１，２２１との間で主信号２１２，２２２の送受信を行うための伝送カードである。そして、伝送カード１００（＃１〜＃４）は、それぞれ通信部１１１〜１１３（＃１〜＃４）により、主信号と異なる制御信号を互いに送受信する。
【００３１】
制御信号２０１は伝送カード１００（＃１）の通信部１１１〜１１３（＃１）がそれぞれ伝送カード１００（＃２〜＃４）との間で送受信する制御信号である。制御信号２０２は伝送カード１００（＃２）の通信部１１１〜１１３（＃２）がそれぞれ伝送カード１００（＃１，＃３，＃４）との間で送受信する制御信号である。
【００３２】
制御信号２０３は伝送カード１００（＃３）の通信部１１１〜１１３（＃３）が伝送カード１００（＃１，＃２，＃４）との間で送受信する制御信号である。制御信号２０４は伝送カード１００（＃４）の通信部１１１〜１１３（＃４）が伝送カード１００（＃１〜＃３）との間で送受信する制御信号である。
【００３３】
一例としては、伝送カード１００（＃１）がスイッチ盤２１０，２２０との間で主信号を送受信する運用系の伝送カードであり、伝送カード１００（＃２〜＃４）が伝送カード１００（＃１）の予備系（冗長系）の伝送カードである構成とすることができる。この場合に、伝送カード１００（＃１）と伝送カード１００（＃２〜＃４）との間で、伝送カード１００（＃１）の状態を監視するための制御信号や、運用系と予備系の切り替えのための制御信号などが送受信される。
【００３４】
図２に示したように、伝送カード１００（＃１〜＃４）の各パターン信号は、主信号２１２，２２２および制御信号２０１〜２０４の配線とは別の配線であって、伝送カード１００（＃１〜＃４）ごとに設けられた配線により互いに送受信される。
【００３５】
（実施の形態１にかかる各伝送カードが送信するパターン信号）
図３は、実施の形態１にかかる各伝送カードが送信するパターン信号の一例を示す図である。図３において、横軸は時間を示す。図３に示す例では、伝送カード１００（＃１，＃３）の種別が第１種別であり、伝送カード１００（＃２）の種別が第２種別であり、伝送カード１００（＃４）の種別が第３種別である。
【００３６】
また、図３に示す例では、第１〜第３種別に対応するパルスパターンは、それぞれ所定周期ごとに１〜３個のパルスを含むパルスパターンである。すなわち、第１種別の伝送カードは所定周期ごとに１個のパルスを含むパターン信号を送信する。また、第２種別の伝送カードは所定周期ごとに２個のパルスを含むパターン信号を送信する。また、第３種別の伝送カードは所定周期ごとに３個のパルスを含むパターン信号を送信する。
【００３７】
図３に示すパターン信号３１０は、ＢＷＢ２０のスロット２１に接続された伝送カード１００（＃１）が送信するパターン信号である。同様に、パターン信号３２０，３３０，３４０は、それぞれＢＷＢ２０のスロット２２〜２４に接続された伝送カード１００（＃２〜＃４）が送信するパターン信号である。パターン周期３１５，３２５，３３５，３４５は、それぞれパターン信号３１０，３２０，３３０，３４０におけるパルスパターンの繰り返し周期（所定周期）である。図３に示す例では、パターン周期３１５，３２５，３３５，３４５はともに１［ｍｓ］である。
【００３８】
第１種別である伝送カード１００（＃１）が送信するパターン信号３１０は、パターン周期３１５ごとに１個のパルス３１１を含むパターン信号である。図３に示す例ではパルス３１１のパルス幅（時間幅）は５０［μｓ］である。また、パルス３１１はパターン周期３１５の先頭からパルス出力待機時間３１６が経過した時点で送信が開始される。図３に示す例ではパルス出力待機時間３１６は１００［μｓ］である。
【００３９】
第２種別である伝送カード１００（＃２）が送信するパターン信号３２０は、パターン周期３２５ごとに２個のパルス３２１，３２２を含むパターン信号である。図３に示す例ではパルス３２１，３２２のそれぞれのパルス幅は５０［μｓ］である。また、図３に示す例ではパルス３２１，３２２の間のパルス間隔は５０［μｓ］である。また、パルス３２１，３２２はパターン周期３２５の先頭からパルス出力待機時間３２６が経過した時点で送信が開始される。図３に示す例ではパルス出力待機時間３２６は１００［μｓ］である。
【００４０】
第１種別である伝送カード１００（＃３）が送信するパターン信号３３０は、パターン周期３３５ごとに１個のパルス３３１を含むパターン信号である。図３に示す例ではパルス３３１のパルス幅（時間幅）は５０［μｓ］である。また、パルス３３１はパターン周期３３５の先頭からパルス出力待機時間３３６が経過した時点で送信が開始される。図３に示す例ではパルス出力待機時間３３６は１００［μｓ］である。
【００４１】
第３種別である伝送カード１００（＃４）が送信するパターン信号３４０は、パターン周期３４５ごとに３個のパルス３４１〜３４３を含むパターン信号である。図３に示す例ではパルス３４１〜３４３のそれぞれのパルス幅は５０［μｓ］である。また、図３に示す例ではパルス３４１〜３４３の間の各パルス間隔は５０［μｓ］である。また、パルス３４１〜３４３はパターン周期３４５の先頭からパルス出力待機時間３４６が経過した時点で送信が開始される。図３に示す例ではパルス出力待機時間３４６は１００［μｓ］である。
【００４２】
このように、伝送カード１００（＃１〜＃４）のそれぞれは、所定周期ごとに自カードの種別に応じた数のパルスを含むパターン信号を、ＢＷＢ２０に接続された他カードへ送信する。また、伝送カード１００（＃１〜＃４）のそれぞれは、ＢＷＢ２０に接続された他カードから送信されるパターン信号に基づいて、ＢＷＢ２０に接続された他カードの有無や、ＢＷＢ２０に接続された他カードが自カードと同じ種別であるか否かを判定する。
【００４３】
たとえば、伝送カード１００（＃１）は、伝送カード１００（＃２〜＃４）から送信されるパターン信号３２０，３３０，３４０を受信する。そして、伝送カード１００（＃１）は、受信したパターン信号３２０，３３０，３４０のそれぞれについて、自カードと同じ第１種別のパターン（所定周期ごとに１個のパルスを含む）か否かを判定する。
【００４４】
これにより、伝送カード１００（＃１）は、伝送カード１００（＃２〜＃４）がそれぞれ自カードと同じ第１種別の伝送カードであるか否かを判断することができる。そして、伝送カード１００（＃１）は、自カードと種別でないと判定した他の伝送カードへの高速信号の送信を停止する。図３に示す例では、伝送カード１００（＃１）は、自カードと種別が異なる伝送カード１００（＃２，＃４）への高速信号の送信を停止する。
【００４５】
伝送カード１００（＃２〜＃４）も同様に、他の伝送カードから受信したパターン信号のそれぞれについて、自カードと同じ種別のパターンか否かを判定する。これにより、伝送カード１００（＃２〜＃４）は、他の伝送カードがそれぞれ自カードと同じ種別の伝送カードであるか否かを判断することができる。そして、伝送カード１００（＃１〜＃４）のそれぞれは、自カードと同じ種別でないと判定した他の伝送カードへの高速信号の送信を停止する。
【００４６】
なお、パターン信号３１０，３２０，３３０，３４０におけるパターン周期３１５，３２５，３３５，３４５は、互いに同じ長さ（図３に示した例では１［ｍｓ］）であるが、互いに同期していなくてもよい。また、パターン信号３１０，３２０，３３０，３４０におけるパルス出力待機時間３１６，３２６，３３６，３４６は、互いに同じ長さ（図３に示した例では１００［μｓ］）とする。
【００４７】
また、パターン信号３１０，３２０，３３０，３４０におけるパルス間隔は、パルス出力待機時間３１６，３２６，３３６，３４６より短い間隔（図３に示した例では５０［μｓ］）としてもよい。これにより、パルスがない期間がパルス出力待機時間（たとえば１００［μｓ］）以上経過した場合に、つぎのパルスはパターン周期における最初のパルスとなる。
【００４８】
また、パターン信号３１０，３２０，３３０，３４０を比較的低速な信号とすることで、ＢＷＢ２０に複数の伝送カード１００を接続することによる配線容量の増加に起因する波形のなまりや瞬間的なノイズによる誤検出を抑制することができる。
【００４９】
（実施の形態１にかかる伝送カードによるパターン検出）
図４は、実施の形態１にかかる伝送カードによるパターン検出の一例を示す図である。図４において、図３に示した部分と同様の部分については同一の符号を付して説明を省略する。図４においては、一例として、伝送カード１００（＃１）のパターン検出部１５１（＃１）が伝送カード１００（＃２）から送信されたパターン信号３２０のパルスパターンを検出する場合について説明する。ただし、伝送カード１００（＃１）のパターン検出部１５２，１５３（＃１）がそれぞれ伝送カード１００（＃３，＃４）から送信されたパターン信号３３０，３４０のパルスパターンを検出する場合についても同様である。また、伝送カード１００（＃２〜＃４）が他の伝送カードから送信されたパターン信号のパルスパターンを検出する場合についても同様である。
【００５０】
図４に示す受信レベル４１０は、伝送カード１００（＃１）のパターン検出部１５１（＃１）が伝送カード１００（＃２）から受信したパターン信号３２０の受信レベルである。サンプリング結果４２０は、パターン検出部１５１（＃１）が受信レベル４１０をサンプリング周期＝５［μｓ］でサンプリングした結果である。たとえば、サンプリング結果４２０は、サンプリングした受信レベルが閾値ＴＨ以上であれば“１”（受信レベルが“Ｈ”）を示す。また、サンプリング結果４２０は、サンプリングした受信レベルが閾値ＴＨ未満であれば“０”（受信レベルが“Ｌ”）を示す。
【００５１】
たとえば、パターン検出部１５１（＃１）は、サンプリング結果４２０について、パルス出力待機時間３２６に相当する１００［μｓ］以上の“０”の後の最初の“１”から９００［μｓ］以内に“０”から“１”への変化点が何回あるかを監視する。９００［μｓ］は、パターン周期３２５のうちのパルス出力待機時間３２６を除いた、パルスが受信され得るパルス受信時間４０１である。これにより、伝送カード１００（＃２）から受信したパターン信号３２０が、所定期間ごとにパルスを何個含むパターン信号であるかを判定することができる。
【００５２】
ただし、パターン検出部１５１（＃１）は、ノイズ等による受信レベル４１０の瞬間的なレベル変化４１１は無視するように、たとえば所定回数（一例としては３回）以上連続しない“１”は無視するようにしてもよい。図４に示す例では、パターン検出部１５１（＃１）は、“１”が３回以上連続する２個のサンプリング結果４２１，４２３を変化点としてカウントし、“１”が１回のみのサンプリング結果４２２は変化点としてカウントしない。
【００５３】
これにより、伝送カード１００（＃２）から受信したパターン信号３２０が、所定期間ごとにパルスを２個含むパターン信号であると判定することができる。したがって、比較判断部１６１（＃１）により、伝送カード１００（＃２）は伝送カード１００（＃１）と種別が異なる伝送カードであると判定することができる。
【００５４】
（実施の形態１にかかる伝送カードのパターン生成部によるパターン生成処理）
図５は、実施の形態１にかかる伝送カードのパターン生成部によるパターン生成処理の一例を示すフローチャートである。一例として、伝送カード１００（＃１）のパターン生成部１３０（＃１）によるパターン生成処理について説明するが、伝送カード１００（＃２〜＃４）のパターン生成部１３０（＃２〜＃４）によるパターン生成処理についても同様である。パターン生成部１３０（＃１）は、パターン生成処理として、たとえば図５に示す各ステップを実行する。図５に示す各ステップは、たとえば伝送カード１００（＃１）の電源オン時や伝送カード１００のリセット時に開始される。
【００５５】
まず、パターン生成部１３０（＃１）は、パターン周期５１を参照し、パターン周期５１ごとにカウント値がリセットされる基準カウンタを起動（初期化）する（ステップＳ５０１）。これにより、パターン周期５１ごとにカウント値がリセットされる基準カウンタによるカウントアップが開始される。パターン周期５１は、たとえばパターン生成部１３０（＃１）に記憶されている。また、パターン周期５１は、たとえば図３に示した例では１［ｍｓ］である。
【００５６】
つぎに、パターン生成部１３０（＃１）は、パターン情報記憶部１２０（＃１）に記憶されたパターン情報５２を参照し、パターン情報５２が示すパルスパターンを取得する（ステップＳ５０２）。パターン情報５２が示すパルスパターンは、たとえば図３に示した例ではパターン周期３１５ごとにパルスが１回のパルスパターンである。
【００５７】
つぎに、パターン生成部１３０（＃１）は、パルス出力待機時間５３を参照し、基準カウンタのカウント値に基づいて、パターン周期５１の先頭からパルス出力待機時間５３が経過するまで待機する（ステップＳ５０３）。パルス出力待機時間５３は、たとえばパターン生成部１３０（＃１）に記憶されている。また、パルス出力待機時間５３は、たとえば図３に示した例では１００［μｓ］である。ステップＳ５０３により、たとえば図３に示した例ではパルス出力待機時間３１６の末尾のタイミング、すなわちパルス３１１の先頭のタイミングまで待機することができる。
【００５８】
つぎに、パターン生成部１３０（＃１）は、パルス幅５４およびパルス間隔５５を参照し、ステップＳ５０２により設定したパルスパターンおよび参照したパルス幅５４およびパルス間隔５５に基づくパルスを送信し（ステップＳ５０４）、ステップＳ５０２へ戻る。パルス幅５４およびパルス間隔５５は、たとえばパターン生成部１３０（＃１）に記憶されている。たとえば図３に示した例では、パターン生成部１３０（＃１）は、ステップＳ５０４において、パルス幅５０［μｓ］の１個のパルス３１１を送信する。
【００５９】
図５に示した各ステップにより、パターン生成部１３０（＃１）は、たとえば図３に示したパターン信号３１０を伝送カード１００（＃２〜＃４）へ送信することができる。
【００６０】
（実施の形態１にかかる伝送カードのパターン検出部によるパターン検出処理）
図６は、実施の形態１にかかる伝送カードのパターン検出部によるパターン検出処理の一例を示すフローチャートである。一例として、伝送カード１００（＃１）のパターン検出部１５１（＃１）によるパターン検出処理について説明するが、伝送カード１００（＃１）のパターン検出部１５２，１５３（＃１）によるパターン検出処理についても同様である。また、伝送カード１００（＃２〜＃４）のパターン検出部１５１〜１５３（＃２〜＃４）によるパターン検出処理についても同様である。
【００６１】
パターン検出部１５１（＃１）は、伝送カード１００（＃２）から送信されるパターン信号のパターンを検出するパターン検出処理として、たとえば図６に示す各ステップを実行する。図６に示す各ステップは、たとえば伝送カード１００（＃１）の電源オン時や伝送カード１００のリセット時に開始される。
【００６２】
まず、パターン検出部１５１（＃１）は、伝送カード１００（＃２）から送信されるパターン信号のサンプリング周期の基準となる基準カウンタを起動（初期化）する（ステップＳ６０１）。これにより、基準カウンタによるカウントアップが開始される。
【００６３】
つぎに、パターン検出部１５１（＃１）は、基準サンプリング周期６１を参照し、基準サンプリング周期６１ごとのサンプリング期間を示すサンプリング周期イネーブル（Ｅｎａｂｌｅ）を生成する（ステップＳ６０２）。また、パターン検出部１５１（＃１）は、ステップＳ６０１によって起動した基準カウンタに基づいてサンプリング周期イネーブルを生成する。基準サンプリング周期６１は、たとえばパターン検出部１５１（＃１）に記憶されている。また、基準サンプリング周期６１は、たとえば図４に示した例では５［μｓ］である。以降、パターン検出部１５１（＃１）は、ステップＳ６０２によって生成したサンプリング周期イネーブルに基づいて、伝送カード１００（＃２）から受信したパターン信号の受信レベルをサンプリングする。
【００６４】
つぎに、パターン検出部１５１（＃１）は、対向カードがないことや対向カードが異常であることを検出し、検出結果に基づいてパターン検出処理および比較判断処理のリセットを行う対向カード状態判定処理を開始する（ステップＳ６０３）。ステップＳ６０３によって開始される対向カード状態判定処理については後述する（たとえば図８参照）。
【００６５】
つぎに、パターン検出部１５１（＃１）は、先頭判断時間６２を参照し、伝送カード１００（＃２）から受信したパターン信号の受信レベルが“Ｌ”である状態が先頭判断時間６２以上継続したか否かを判断する（ステップＳ６０４）。そして、パターン検出部１５１（＃１）は、受信レベルが“Ｌ”である状態が先頭判断時間６２以上継続するまで待つ（ステップＳ６０４：Ｎｏのループ）。先頭判断時間６２は、たとえば図４に示したパルス出力待機時間３１６に相当する時間であり、図４に示した例では１００［μｓ］である。受信レベルが“Ｌ”である状態とは、たとえば図４に示したサンプリング結果４２０が“０”、すなわち受信レベル４１０がＴＨ未満の状態である。ステップＳ６０４によって受信レベルが“Ｌ”である状態が先頭判断時間６２以上継続するまで待つことにより、つぎに受信するパルスが、パターン周期における最初のパルスとなる。
【００６６】
ステップＳ６０４において、受信レベルが“Ｌ”である状態が先頭判断時間６２以上継続すると（ステップＳ６０４：Ｙｅｓ）、パターン検出部１５１（＃１）は、パルス受信時間カウンタ６３および抽出パターン６４をクリアする（ステップＳ６０５）。パルス受信時間カウンタ６３は、たとえば図４に示したパルス受信時間４０１（たとえば９００［μｓ］）を計時するためのカウンタである。抽出パターン６４は、現時点で抽出されたパルスパターン（所定周期ごとのパルスの数）を示す情報である。
【００６７】
つぎに、パターン検出部１５１（＃１）は、伝送カード１００（＃２）から受信したパターン信号の受信レベルが“Ｌ”から“Ｈ”へ変化する変化点を検出したか否かを判断し（ステップＳ６０６）、変化点を検出するまで待つ（ステップＳ６０６：Ｎｏのループ）。ステップＳ６０６において変化点を検出するまで待つことにより、たとえば図３に示したパターン信号３２０の１個目のパルス３２１を検出することができる。
【００６８】
ステップＳ６０６において、パターン検出部１５１（＃１）は、検出保護回数６５を参照し、検出保護回数６５以上連続しない“Ｈ”については変化点として検出しないようにしてもよい。これにより、たとえば図４に示したノイズ等による受信レベルのレベル変化４１１を無視することができる。検出保護回数６５は、たとえばパターン検出部１５１（＃１）に記憶されている。また、検出保護回数６５は、たとえば図４に示した例では３回である。
【００６９】
ステップＳ６０６において、変化点を検出すると（ステップＳ６０６：Ｙｅｓ）、パターン検出部１５１（＃１）は、抽出パターン６４が示すパルス数をインクリメントする（ステップＳ６０７）。つぎに、パターン検出部１５１（＃１）は、パルス受信時間カウンタ６３を起動する（ステップＳ６０８）。これにより、たとえば図４に示したパルス受信時間４０１（９００［μｓ］）を計時することができる。
【００７０】
つぎに、パターン検出部１５１（＃１）は、伝送カード１００（＃２）から受信したパターン信号の受信レベルが“Ｌ”から“Ｈ”へ変化する変化点を検出したか否かを判断する（ステップＳ６０９）。変化点を検出していない場合（ステップＳ６０９：Ｎｏ）は、パターン検出部１５１（＃１）は、ステップＳ６１１へ移行する。ステップＳ６０９において、パターン検出部１５１（＃１）は、ステップＳ６０７と同様に、検出保護回数６５を参照し、検出保護回数６５以上連続しない“Ｈ”については変化点として検出しないようにしてもよい。
【００７１】
ステップＳ６０９において、変化点を検出した場合（ステップＳ６０９：Ｙｅｓ）、パターン検出部１５１（＃１）は、抽出パターン６４が示すパルス数をインクリメントする（ステップＳ６１０）。
【００７２】
つぎに、パターン検出部１５１（＃１）は、パルス受信時間６６を参照し、ステップＳ６０８によって起動したパルス受信時間カウンタ６３に基づいて、パルス受信時間６６が経過したか否かを判断する（ステップＳ６１１）。パルス受信時間６６が経過していない場合（ステップＳ６１１：Ｎｏ）は、パターン検出部１５１（＃１）は、ステップＳ６０９へ戻る。パルス受信時間６６は、たとえばパターン検出部１５１に記憶されている。また、パルス受信時間６６は、たとえば図４に示したパルス受信時間４０１（たとえば９００［μｓ］）に相当する時間である。
【００７３】
ステップＳ６１１において、パルス受信時間６６を経過した場合（ステップＳ６１１：Ｙｅｓ）は、パターン検出部１５１（＃１）は、抽出パターン６４（パルス数）を比較判断部１６１（＃１）へ通知し（ステップＳ６１２）、ステップＳ６０４へ戻る。
【００７４】
（実施の形態１にかかる伝送カードの比較判断部による比較判断処理）
図７は、実施の形態１にかかる伝送カードの比較判断部による比較判断処理の一例を示すフローチャートである。一例として、伝送カード１００（＃１）の比較判断部１６１（＃１）による比較判断処理について説明するが、伝送カード１００（＃１）の比較判断部１６２，１６３（＃１）による比較判断処理についても同様である。また、伝送カード１００（＃２〜＃４）の比較判断部１６１〜１６３（＃２〜＃４）による比較判断処理についても同様である。
【００７５】
比較判断部１６１（＃１）は、比較判断処理として、たとえば図７に示す各ステップを実行する。比較判断処理は、パターン検出部１５１（＃１）によって検出されたパルスパターンと自カードの種別に対応するパルスパターンとを比較することにより伝送カード１００（＃２）の種別が自カードの種別と同一であるか否かを判断する処理である。図７に示す各ステップは、たとえば伝送カード１００（＃１）の電源オン時や伝送カード１００のリセット時に開始される。
【００７６】
まず、比較判断部１６１（＃１）は、パターン検出部１５１（＃１）からの抽出パターン６４の通知があったか否かを判断し（ステップＳ７０１）、抽出パターン６４の通知があるまで待つ（ステップＳ７０１：Ｎｏのループ）。抽出パターン６４の通知があると（ステップＳ７０１：Ｙｅｓ）、比較判断部１６１（＃１）は、ステップＳ７０２へ移行する。すなわち、比較判断部１６１（＃１）は、パターン検出部１５１の抽出パターン６４が示すパルスパターンが、パターン情報記憶部１２０に記憶されたパターン情報５２が示すパルスパターンと一致するか否かを判断する（ステップＳ７０２）。
【００７７】
ステップＳ７０２において、パルスパターンが一致する場合（ステップＳ７０２：Ｙｅｓ）は、比較判断部１６１（＃１）は、比較情報７１を更新する（ステップＳ７０３）。比較情報７１は、ステップＳ７０２によるパルスパターンの比較結果の履歴を示す情報であり、たとえば比較判断部１６１（＃１）に記憶される情報である。ステップＳ７０３において、比較判断部１６１（＃１）は、たとえば“一致”を示す比較履歴を比較情報７１に追加する。
【００７８】
つぎに、比較判断部１６１（＃１）は、比較情報７１および比較判断保護回数７２を参照し、比較情報７１が示す比較結果の履歴が、比較判断保護回数７２分連続で“一致”であるか否かを判断する（ステップＳ７０４）。比較判断保護回数７２分連続で“一致”でない場合（ステップＳ７０４：Ｎｏ）は、比較判断部１６１（＃１）は、ステップＳ７０１へ戻る。
【００７９】
ステップＳ７０４において、比較判断保護回数７２分連続で“一致”である場合（ステップＳ７０４：Ｙｅｓ）は、比較判断部１６１（＃１）は、高速信号送信情報７３を“送信”に設定し（ステップＳ７０５）、ステップＳ７０１へ戻る。高速信号送信情報７３が“送信”に設定されると、通信部１１１に対して高速信号送信停止指示が出力されず、通信部１１１による伝送カード１００（＃２）への高速信号の送信が行われる。
【００８０】
ステップＳ７０２において、パルスパターンが一致しない場合（ステップＳ７０２：Ｎｏ）は、比較判断部１６１（＃１）は、比較情報７１を更新する（ステップＳ７０６）。ステップＳ７０６において、比較判断部１６１（＃１）は、たとえば“不一致”を示す比較履歴を比較情報７１に追加する。
【００８１】
つぎに、比較判断部１６１（＃１）は、比較情報７１および比較判断保護回数７２を参照し、比較情報７１が示す比較結果の履歴が、比較判断保護回数７２分連続で“不一致”であるか否かを判断する（ステップＳ７０７）。比較判断保護回数７２分連続で“不一致”でない場合（ステップＳ７０７：Ｎｏ）は、比較判断部１６１（＃１）は、ステップＳ７０１へ戻る。
【００８２】
ステップＳ７０７において、比較判断保護回数７２分連続で“不一致”である場合（ステップＳ７０７：Ｙｅｓ）は、比較判断部１６１（＃１）は、高速信号送信情報７３を“停止”に設定し（ステップＳ７０８）、ステップＳ７０１へ戻る。高速信号送信情報７３が“停止”に設定されると、通信部１１１に対して高速信号送信停止指示が出力され、通信部１１１による伝送カード１００（＃２）への高速信号の送信が停止される。
【００８３】
（実施の形態１にかかる伝送カードのパターン検出部による対向カード状態判定処理）
図８は、実施の形態１にかかる伝送カードのパターン検出部による対向カード状態判定処理の一例を示すフローチャートである。図６に示したステップＳ６０３により、パターン検出部１５１（＃１）は、対向カード状態判定処理として、図６に示したステップＳ６０４以降の処理と並行して、たとえば図８に示す各ステップの実行を開始する。まず、パターン検出部１５１（＃１）は、基準時間８１を参照し、伝送カード１００（＃２）から受信したパターン信号の受信レベルが“Ｌ”または“Ｈ”である状態が基準時間８１以上継続したか否かを判断する（ステップＳ８０１）。
【００８４】
すなわち、パターン検出部１５１（＃１）は、パターン信号の受信レベルのサンプリング結果が一定である状態が基準時間８１以上継続したか否かを判断する。これにより、伝送カード１００（＃１）と対向する伝送カードがスロット２２に接続されていない状況、またはスロット２２に接続され伝送カード１００（＃１）と対向する伝送カードに異常が発生した状況を検出することができる。基準時間８１は、たとえばパターン検出部１５１（＃１）に記憶されている。また、基準時間８１は、一例としては３［ｍｓ］とすることができる。
【００８５】
そして、パターン検出部１５１（＃１）は、受信レベルが“Ｌ”または“Ｈ”である状態が基準時間８１以上継続するまで待つ（ステップＳ８０１：Ｎｏのループ）。受信レベルが“Ｌ”または“Ｈ”である状態が基準時間８１以上継続すると（ステップＳ８０１：Ｙｅｓ）、パターン検出部１５１（＃１）は、パルスパターンの検出のための各種の記憶データをクリアする（ステップＳ８０２）。たとえば、パターン検出部１５１（＃１）は、パターン検出部１５１（＃１）のパルス受信時間カウンタ６３および抽出パターン６４（図６参照）や、比較判断部１６１（＃１）の比較情報７１および高速信号送信情報７３（図７参照）をクリアする。
【００８６】
つぎに、パターン検出部１５１（＃１）は、図６に示したパターン検出処理および図７に示した比較判断処理をリセットし（ステップＳ８０３）、一連の処理を終了する。ステップＳ８０３により、それぞれパターン検出部１５１（＃１）および比較判断部１６１（＃１）が実行中のパターン検出処理および比較判断処理が停止され、図６に示したパターン検出処理および図７に示した比較判断処理が再度開始される。
【００８７】
このように、実施の形態１にかかる伝送装置１０においては、伝送カード１００（＃１〜＃４）のそれぞれが、伝送カードの種別ごとに異なる各パルスパターンのうち、自カードの種別に対応するパルスパターンのパターン信号を他カードへ送信する。また、伝送カード１００（＃１〜＃４）のそれぞれが、他カードから受信したパターン信号のパルスパターンが自カードの種別に対応するパルスパターンと一致しない場合に、他カードへの信号送信を停止させる制御を行う。
【００８８】
これにより、自カードと種別が一致しない伝送カードへの信号送信を抑制することができる。このため、たとえば、クロストークノイズ等のノイズの発生を抑え、種別が同じ伝送カード間の信号送信の特性劣化を抑制することができる。
【００８９】
また、新たな種別の伝送カードを追加する場合は、新たな伝送カードの種別に応じたパルスパターンを新たな伝送カードに設定すればよい。これにより、たとえば既存の伝送カード１００やＢＷＢ２０の設定等を変更しなくても、新たな伝送カードおよび既存の伝送カード１００の間において、種別が一致しない伝送カードへの信号送信を抑制することができる。このため、新たな種別の伝送カードの追加が容易になる。
【００９０】
また、他カードから受信したパターン信号のパルスパターンが自カードの種別に対応するパルスパターンと一致しない場合に他カードへの信号送信を停止させる制御を行う構成について説明したが、このような構成に限らない。たとえば、伝送カード１００（＃１〜＃４）のそれぞれは、他カードから受信したパターン信号のパルスパターンが自カードの種別に対応するパルスパターンと一致しない場合に他カードへの信号送信の速度を低下させる制御を行ってもよい。これにより、自カードと種別が一致しない伝送カードへの信号送信を抑制することができる。このため、たとえば、クロストークノイズ等のノイズの発生を抑え、種別が同じ伝送カード間の信号送信の特性劣化を抑制することができる。信号送信の速度は、たとえば送信する信号のビットレートである。
【００９１】
たとえば、近年の装置では、ＢＷＢを介しての高速信号（ＳＥＲＤＥＳ等）での制御データの通信が多く使用されている。また、高速信号の速度も年々上昇している。対向カードが無い場合や、対向カードの種別が異なる場合など、対向カードに受信の終端が無い場合は、高速信号を動作させたままオープン状態にすると、クロストークノイズ等のノイズにより、他信号への影響が懸念される。
【００９２】
これに対して、上述した伝送装置１０によれば、伝送カード１００のそれぞれが、対向カードの有無および対向カードの種別の一致を判定し、自カードと同じ種別の対向カードが無い場合は、高速信号の出力を止める制御を行うことができる。
【００９３】
（実施の形態２）
実施の形態２について、実施の形態１と異なる部分について説明する。実施の形態１においては、種別が互いに異なる複数の伝送カード１００の間では互いに通信が可能でない構成について説明したが、このような構成に限らない。たとえば、互いに異なる第１種別および第２種別であって、第１種別の伝送カード１００と第２種別の伝送カード１００との間で通信が可能な第１種別および第２種別が存在してもよい。実施の形態２においては、このような第１種別および第２種別に対応する構成について説明する。
【００９４】
（実施の形態２にかかる伝送システム）
図９は、実施の形態２にかかる伝送システムの一例を示す図である。図９において、図１に示した部分と同様の部分については同一の符号を付して説明を省略する。図９に示すように、実施の形態２にかかる伝送カード１００は、図１に示した構成に加えて予約パターン情報記憶部９１０を備える。
【００９５】
予約パターン情報記憶部９１０は、伝送カード１００の種別と異なる種別に対応するパルスパターンであって、伝送カード１００との間で通信可能な伝送カードの種別に対応するパルスパターンを予約パターンとして記憶する。すなわち、伝送カード１００と種別は異なるが伝送カード１００との間で通信可能な伝送カードがある場合に、その伝送カードの種別に対応するパルスパターンが予約パターン情報記憶部９１０に格納される。
【００９６】
比較判断部１６１は、パターン検出部１５１から通知された受信パルスパターンと、予約パターン情報記憶部９１０に記憶された予約パターン情報が示す予約パターンと、を比較する。そして、比較判断部１６１は、受信パルスパターンと予約パターンとが一致した場合は、受信パルスパターンとパターン情報記憶部１２０のパターン情報が示すパルスパターンとが一致しなくても、通信部１１１による高速信号の送信を停止させない。
【００９７】
同様に、比較判断部１６２，１６３は、それぞれパターン検出部１５２，１５３から通知された受信パルスパターンと、予約パターン情報記憶部９１０に記憶された予約パターン情報が示す予約パターンと、を比較する。そして、比較判断部１６２は、受信パルスパターンと予約パターンとが一致した場合は、受信パルスパターンとパターン情報記憶部１２０のパターン情報が示すパルスパターンとが一致しなくても、通信部１１２による高速信号の送信を停止させない。また、比較判断部１６３は、受信パルスパターンと予約パターンとが一致した場合は、受信パルスパターンとパターン情報記憶部１２０のパターン情報が示すパルスパターンとが一致しなくても、通信部１１３による高速信号の送信を停止させない。
【００９８】
たとえば、改版等で伝送カードの種別が増加し、伝送カード１００と種別が異なるが伝送カード１００との間で通信可能な伝送カードを伝送装置１０に追加することを要する場合がある。この場合に、追加する伝送カードの種別に対応するパルスパターンを予約パターンとして予約パターン情報記憶部９１０に予め記憶させておく。
【００９９】
これにより、たとえばＢＷＢ２０の側の設定やプログラムを変更しなくても、伝送カード１００と種別が異なるが伝送カード１００との間で通信可能な伝送カードを伝送装置１０に追加することが可能になる。また、予約パターン情報記憶部９１０には複数の予約パターンを記憶させることも可能である。
【０１００】
（実施の形態２にかかる伝送カードの比較判断部による比較判断処理）
図１０は、実施の形態２にかかる伝送カードの比較判断部による比較判断処理の一例を示すフローチャートである。一例として、実施の形態２にかかる伝送カード１００（＃１）の比較判断部１６１（＃１）による比較判断処理について説明するが、伝送カード１００（＃１）の比較判断部１６２，１６３（＃１）による比較判断処理についても同様である。また、伝送カード１００（＃２〜＃４）の比較判断部１６１〜１６３（＃２〜＃４）による比較判断処理についても同様である。実施の形態２にかかる比較判断部１６１（＃１）は、比較判断処理として、たとえば図１０に示す各ステップを実行する。
【０１０１】
図１０に示す各ステップは、たとえば伝送カード１００（＃１）の電源オン時や伝送カード１００のリセット時に開始される。図１０に示すステップＳ１００１〜Ｓ１００５は、図７に示したステップＳ７０１〜Ｓ７０５と同様である。ステップＳ１００２において、パルスパターンが一致しない場合（ステップＳ１００２：Ｎｏ）は、比較判断部１６１（＃１）は、ステップＳ１００６へ移行する。
【０１０２】
すなわち、比較判断部１６１（＃１）は、パターン検出部１５１の抽出パターン６４が示すパルスパターンが、予約パターン情報記憶部９１０に記憶された予約パターン情報７４が示す予約パターンと一致するか否かを判断する（ステップＳ１００６）。また、予約パターン情報記憶部９１０に複数の予約パターンが記憶されている場合は、ステップＳ１００６において、比較判断部１６１（＃１）は、抽出パターン６４が示すパルスパターンが複数の予約パターンのいずれかと一致するか否かを判断する。
【０１０３】
ステップＳ１００６において、パルスパターンが予約パターンと一致する場合（ステップＳ１００６：Ｙｅｓ）は、比較判断部１６１（＃１）は、ステップＳ１００３へ移行する。パルスパターンが予約パターンと一致しない場合（ステップＳ１００６：Ｎｏ）は、比較判断部１６１（＃１）は、ステップＳ１００７へ移行する。ステップＳ１００７〜Ｓ１００９は、図７に示したステップＳ７０６〜Ｓ７０８と同様である。
【０１０４】
このように、実施の形態２にかかる伝送装置１０においては、伝送カード１００は、種別ごとに異なる各パルスパターンのうちの、自カードの種別と異なる所定の種別に対応する予約パターンを記憶する予約パターン情報記憶部９１０を備える。そして、伝送カード１００は、他カードから受信したパターン信号のパルスパターンが予約パターンと一致する場合は、受信したパターン信号のパルスパターンが自カードの種別に対応するパルスパターンと一致しない場合であっても信号送信の停止等を行わない。
【０１０５】
これにより、既存の伝送カード１００と異なる種別であるが通信可能な伝送カードの種別が追加された場合は、追加された種別に対応するパルスパターンを予約パターンとして予約パターン情報記憶部９１０に記憶すればよい。これにより、既存の伝送カード１００は、追加された種別の伝送カードとの間で信号送信が可能になる。このため、伝送カードの種別を柔軟に追加することが可能になる。
【０１０６】
（実施の形態３）
実施の形態３について、実施の形態１，２と異なる部分について説明する。実施の形態１，２においては、種別判定のためのパルスパターンとして所定周期ごとのパルスの数を用いる構成について説明したが、種別判定のためのパルスパターンとして所定周期ごとのパルスの数に限らない。実施の形態３においては、種別判定のためのパルスパターンとして、たとえばパルスによる符号パターンを用いる構成について説明する。
【０１０７】
（実施の形態３にかかる各伝送カードが送信するパターン信号）
図１１は、実施の形態３にかかる各伝送カードが送信するパターン信号の一例を示す図である。図１１に示すパターン信号１１００は、実施の形態３にかかる伝送カード１００が送信するパターン信号である。
【０１０８】
パターン信号１１００においては、パターン周期１１２１ごとに５回のパルス送信タイミング１１１１〜１１１５が設定される。パルス送信タイミング１１１１〜１１１５は、パターン周期１１２１の先頭からそれぞれ５００［μｓ］、６００［μｓ］、７００［μｓ］、８００［μｓ］、９００［μｓ］が経過したタイミングである。
【０１０９】
実施の形態３にかかる伝送カード１００は、パルス送信タイミング１１１１〜１１１５の各組み合わせのうち、自カードの種別に対応する組み合わせにおいてパルスを送信する。これにより、伝送カード１００が送信するパターン信号は、パルス送信タイミング１１１１〜１１１５に対応する５ビット（１〜５）の符号パターンとなる。
【０１１０】
一例としては、第１種別に対応するパルスパターンは“１０００”、第２種別に対応するパルスパターンは“０１００”、第３種別に対応するパルスパターンは“１１００”…とすることができる。この場合に、第１種別の伝送カード１００は、パルス送信タイミング１１１１でパルスを送信し、パルス送信タイミング１１１２〜１１１４ではパルスを送信しない。第２種別の伝送カード１００は、パルス送信タイミング１１１２でパルスを送信し、パルス送信タイミング１１１１，１１１３，１１１４ではパルスを送信しない。第３種別の伝送カード１００は、パルス送信タイミング１１１１，１１１２でパルスを送信し、パルス送信タイミング１１１３，１１１４ではパルスを送信しない。
【０１１１】
パターン周期１１２１ごとのパルス出力待機時間１１２２は、パターン周期１１２１の先頭の５００［μｓ］の時間であって、パルスが送信されない時間である。パターン周期１１２１ごとのパルス送信時間１１２３は、パターン周期１１２１からパルス出力待機時間１１２２を除いた残りの５００［μｓ］の時間であって、伝送カード１００の種別に対応するパルス（符号パターン）が送信される時間である。
【０１１２】
たとえば、スロット２１に接続された伝送カード１００（＃１）は、それぞれスロット＃２〜＃４に接続された伝送カード１００（＃２〜＃４）から送信されるパターン信号１１００を受信する。そして、伝送カード１００（＃１）は、受信したパターン信号１１００のそれぞれについて、パルス送信時間１１２３におけるパルスによる符号パターンが、自カードの種別に対応する符号パターンと同一であるか否かを判定する。これにより、伝送カード１００（＃１）は、伝送カード１００（＃２〜＃４）がそれぞれ自カードと同じ種別の伝送カードであるか否かを判断することができる。
【０１１３】
図１１に示したように、種別判定のためのパルスパターンとしてパルスによる符号パターンを用いることで、たとえば種別判定のためのパルスパターンとして所定周期ごとのパルスの数を用いる構成と比べて、パルスパターンの種類を多くすることが可能になる。たとえば、図１１に示した例では、５ビットの符号パターンにより２＾５＝３２通りのパルスパターンを用いることができる。このように、より多くの種別に対応することが可能になる。
【０１１４】
また、たとえばパターン周期１１２１ごとのパルス出力待機時間１１２２を短くし、パルス送信タイミングの数を増やすことにより、さらに長いビットの符号パターンにより多くのパルスパターンを用いることができる。
【０１１５】
このように、実施の形態３にかかる伝送装置１０においては、パルスパターンとして、所定周期（パターン周期１１２１）ごとの複数のタイミング（パルス送信タイミング１１１１〜１１１５）におけるパルスの有無による符号パターンが用いられる。これにより、多くの種別に対応することが可能になる。
【０１１６】
また、種別判定のためのパルスパターンには、所定周期ごとのパルスの数やパルスによる符号パターンに限らず、たとえばパルス幅やパルス間隔等を用いることができる。また、種別判定のためのパルスパターンには、所定周期ごとのパルスの数、パルスによる符号、パルス幅およびパルス間隔のうちの複数のパルス条件を組み合わせたものとしてもよい。これにより、より多くの種別に対応することが可能になる。
【０１１７】
以上説明したように、伝送装置および伝送方法によれば、自カードと種別が一致しない伝送カードへの信号の送信を抑制することができる。
【０１１８】
たとえば、従来、ＢＷＢに接続されたカード間における高速な制御信号の送受信を他のコントロールカードが監視し、カード間の所定の条件（たとえば種別）が一致する場合のみ制御信号の送受信を許可する構成が知られている。しかしながら、この構成では、運用中においてもカード間の通信が行われるため、他のコントロールカードを使用するとコントロールカードにおけるＣＰＵ（Ｃｅｎｔｒａｌ  Ｐｒｏｃｅｓｓｉｎｇ  Ｕｎｉｔ：中央処理装置）の負荷が大きくなる。
【０１１９】
これに対して、上述した各実施の形態によれば、各カードが互いに送信する種別ごとのパターン信号に基づいて、自カードと種別が異なる他カードに対しては高速な制御信号の送信を停止または低速化させる制御を行うことができる。これにより、他のコントロールカードにおけるＣＰＵの負荷を大きくせずに、クロストークノイズ等のノイズの発生を抑制し、種別が同じカード間での高速な制御信号の送受信の特性劣化を抑制できる。
【０１２０】
また、上述した各実施の形態によれば、各カードが自律的に対向カードの種別が自カードと同じか否かを判定することができるため、カード種別が増加しても、既存の装置への影響が少ない。たとえば、新たな種別のカードにその種別に対応するパルスパターンを設定することにより、既存のカードは新たなカードが自カードと異なる種別のカードであることを判定することができる。
【０１２１】
上述した各実施の形態に関し、さらに以下の付記を開示する。
【０１２２】
（付記１）バックワイヤリングボードと、前記バックワイヤリングボードに接続された複数の伝送カードと、を含む伝送装置であって、
前記複数の伝送カードのそれぞれは、
前記複数の伝送カードのうちの自カードを除く他カードへの信号送信を、前記バックワイヤリングボードを介して行う第１送信部と、
伝送カードの種別ごとに異なる各パルスパターンのうち、自カードの種別に対応するパルスパターンのパターン信号を前記他カードへ送信する第２送信部と、
前記他カードから送信されたパターン信号を受信する受信部と、
前記受信部によって受信された前記パターン信号のパルスパターンが、前記自カードの種別に対応するパルスパターンと一致しない場合に、前記第１送信部による前記信号送信を停止させまたは前記信号送信の速度を低下させる制御を行う制御部と、
を備えることを特徴とする伝送装置。
【０１２３】
（付記２）前記複数の伝送カードのうち、前記種別が同一の各伝送カードは前記第１送信部の前記信号送信により互いに通信が可能であり、前記種別が異なる各伝送カードは前記第１送信部の前記信号送信により互いに通信が可能でない場合があることを特徴とする付記１に記載の伝送装置。
【０１２４】
（付記３）前記パルスパターンは、前記パターン信号に所定周期ごとに含まれるパルスの数であることを特徴とする付記１または２に記載の伝送装置。
【０１２５】
（付記４）前記パルスパターンは、所定周期ごとの複数のタイミングにおけるパルスの有無による符号パターンであることを特徴とする付記１または２に記載の伝送装置。
【０１２６】
（付記５）前記各パルスパターンのうちの前記自カードの種別と異なる所定の種別に対応するパルスパターンを記憶する記憶部を備え、
前記制御部は、前記受信部によって受信された前記パターン信号のパルスパターンが、前記記憶部によって記憶された前記パルスパターンと一致する場合は、前記受信部によって受信された前記パターン信号のパルスパターンが前記自カードの種別に対応するパルスパターンと一致しない場合であっても前記制御を行わないことを特徴とする付記１〜４のいずれか一つに記載の伝送装置。
【０１２７】
（付記６）前記所定の種別は、前記自カードの種別と異なり、かつ自カードとの間で前記第１送信部による前記信号送信により互いに通信が可能な伝送カードの種別であることを特徴とする付記５に記載の伝送装置。
【０１２８】
（付記７）前記他カードから送信されたパターン信号は、前記各パルスパターンのうちの前記他カードの種別に対応するパルスパターンのパターン信号であることを特徴とする付記１〜６のいずれか一つに記載の伝送装置。
【０１２９】
（付記８）バックワイヤリングボードと、前記バックワイヤリングボードに接続された複数の伝送カードと、を含む伝送装置における伝送方法であって、
前記複数の伝送カードのそれぞれが、
前記複数の伝送カードのうちの自カードを除く他カードへの信号送信を、前記バックワイヤリングボードを介して行い、
伝送カードの種別ごとに異なる各パルスパターンのうち、自カードの種別に対応するパルスパターンのパターン信号を前記他カードへ送信し、
前記他カードから送信されたパターン信号を受信し、
受信した前記パターン信号のパルスパターンが、前記自カードの種別に対応するパルスパターンと一致しない場合に、前記信号送信を停止させまたは前記信号送信の速度を低下させる制御を行うことを特徴とする伝送方法。
【符号の説明】
【０１３０】
１０  伝送装置
２１〜２４  スロット
２０  ＢＷＢ
５１，３１５，３２５，３３５，３４５，１１２１  パターン周期
５２  パターン情報
５３，３１６，３２６，３３６，３４６，１１２２  パルス出力待機時間
５４  パルス幅
５５  パルス間隔
６１  基準サンプリング周期
６２  先頭判断時間
６３  パルス受信時間カウンタ
６４  抽出パターン
６５  検出保護回数
６６，４０１  パルス受信時間
７１  比較情報
７２  比較判断保護回数
７３  高速信号送信情報
７４  予約パターン情報
８１  基準時間
１００  伝送カード
１０１  コネクタ
１１１〜１１３  通信部
１２０  パターン情報記憶部
１３０  パターン生成部
１４１〜１４３  プルアップ抵抗
１５１〜１５３  パターン検出部
１６１〜１６３  比較判断部
１８０  デジタル回路
２０１〜２０４  制御信号
２１０，２２０  スイッチ盤
２１１，２２１  スイッチ
２１２，２２２  主信号
３１０，３２０，３３０，３４０，１１００  パターン信号
３１１，３２１，３２２，３３１，３４１〜３４３  パルス
４１０  受信レベル
４１１  レベル変化
４２０〜４２３  サンプリング結果
９１０  予約パターン情報記憶部
１１１１〜１１１５  パルス送信タイミング
１１２３  パルス送信時間
【図１】
2017204192.tif 000003
【図２】
2017204192.tif 000004
【図３】
2017204192.tif 000005
【図４】
2017204192.tif 000006
【図５】
2017204192.tif 000007
【図６】
2017204192.tif 000008
【図７】
2017204192.tif 000009
【図８】
2017204192.tif 000010
【図９】
2017204192.tif 000011
【図１０】
2017204192.tif 000012
【図１１】
2017204192.tif 000013